(57)【要約】      （修正有）【課題】不織布への穿孔性を高める。【解決手段】穿孔部材８０は、不織布を突き刺して刺孔を徐々に拡げて拡孔を穿孔する先端部８１を備える。この先端部８１は、徐々に拡げられる刺孔のそれぞれと交差する断面Ｓ1，Ｓ２，Ｓ３，Ｓ４が拡孔と同心の相似形に設けられ、断面それぞれの中心がサイクロイド曲線ＬC上に配置されている。【選択図】図４
2018144204.tif 000002
【特許請求の範囲】
【請求項１】
不織布を突き刺して刺孔を徐々に拡げて拡孔を穿孔する先端部を備え、
前記先端部は、徐々に拡げられる前記刺孔のそれぞれと交差する断面が前記拡孔と同心の相似形に設けられ、前記断面それぞれの中心がサイクロイド曲線上に配置された
穿孔部材。
【請求項２】
前記先端部は、突き刺し方向に向かうほど細くなるテーパー形状をなす
請求項１に記載された穿孔部材。
【請求項３】
前記先端部に対して基端側に配置された中間部を備え、
前記中間部は、前記先端部よりもテーパー度合いが小さい
請求項２に記載された穿孔部材。
【請求項４】
前記先端部に対して基端側に配置された中間部を備え、
前記中間部は、前記先端部よりもテーパー度合いが大きい
請求項２に記載された穿孔部材。
【請求項５】
請求項１〜４の何れか１項に記載された穿孔部材を外周部に備えた
穿孔ローラ。
【請求項６】
請求項５に記載された穿孔ローラを備えた穿孔装置であって、
前記穿孔ローラに前記不織布を搬送する第一搬送部と、
前記穿孔ローラから前記不織布を搬送する第二搬送部と
を備えた穿孔装置。
【請求項７】
前記穿孔ローラと対向する対向ローラを備え、
前記対向ローラは、前記不織布に対して突き刺された前記穿孔部材の突き出しを許容する許容部を有する
請求項６に記載された穿孔装置。
【請求項８】
請求項６または７に記載された穿孔装置によって穿孔された前記不織布を備えた
吸収性物品。
【請求項９】
吸水性をもつマット状の吸収体が厚み方向に凹設され、前記厚み方向から視て格子状をなす凹部を備えた
請求項８に記載された吸収性物品。
【発明の詳細な説明】
【技術分野】
【０００１】
本件は、不織布に孔を穿つ穿孔部材，穿孔ローラおよび穿孔装置ならびに吸収性物品に関する。
【背景技術】
【０００２】
従来、紙おむつや尿パッドなどの吸収性物品には、不織布や吸収体といった種々の部材が積層されている。そのため、吸収性物品が着用者に装着されているときの通気性が低下するおそれがある。
そこで、吸収性物品の不織布に通気孔を穿孔することが提案されている。
たとえば特許文献１（特許第4074854号公報）には、回転する二つのローラにおいて、一方の外周部に設けられたピン状の穿孔部材によって、他方の外周部に巻回され搬送される不織布を穿孔する技術が開発されている。詳細には、下記の手順１および２で不織布に穿孔することが検討されている。
手順１：回転体形状の穿孔部材を不織布に突き刺す
手順２：手順１で突き刺されて穿たれた刺孔を徐々に拡げる
【０００３】
手順１では、一方のローラで周方向に移動する穿孔部材と他方のローラで周方向に搬送される不織布とが交差するように相対的に変位することで、不織布に穿孔部材が突き刺されて刺孔が穿たれる。このとき、穿孔部材およびこれに突き刺される不織布は、二つのローラが最も近接する箇所よりも回転方向上流側に位置する。
手順２では、二つのローラが更に回転することで、不織布に対して穿孔部材が侵入するようにして突き刺しが進行し、二つのローラが最も近接する箇所で刺孔が最も拡げられる。このように刺孔が最も拡げられた拡孔が穿たれると、不織布への穿孔が完了する。
【先行技術文献】
【特許文献】
【０００４】
【特許文献１】特許第4074854号公報
【発明の概要】
【発明が解決しようとする課題】
【０００５】
しかしながら、上述したように回転体形状の穿孔部材を不織布の穿孔に用いた場合には、徐々に拡げられる刺孔と拡孔とが偏心することから、不織布における拡孔がいびつな形状となるおそれがあり、不織布の引き裂きを招くおそれもある。すなわち、拡孔の中心に対してズレた箇所が突き刺されることにより、不織布への穿孔性が低下するおそれがある。よって、不織布への穿孔性を高めるうえで改善の余地がある。
【０００６】
本件は、上記のような課題に鑑みて創案されたものであり、不織布への穿孔性を高めることを目的の一つとする。なお、ここでいう目的に限らず、後述する「発明を実施するための形態」に示す各構成から導き出される作用および効果であって、従来の技術では得られない作用および効果を奏することも、本件の他の目的として位置づけることができる。
【課題を解決するための手段】
【０００７】
（１）ここで開示する穿孔部材は、不織布を突き刺して刺孔を徐々に拡げて拡孔を穿孔する先端部を備える。前記先端部は、徐々に拡げられる前記刺孔のそれぞれと交差する断面が前記拡孔と同心の相似形に設けられ、前記断面それぞれの中心がサイクロイド曲線上に配置されている。
（２）ここで開示する穿孔ローラは、外周部に上記した穿孔部材を備える。
（３）ここで開示する穿孔装置は、上記した穿孔ローラを備える。
（４）また、ここで開示する吸収性物品は、上記した穿孔装置によって穿孔された不織布を備える。
【発明の効果】
【０００８】
本件によれば、不織布への穿孔性を高めることができる。
【図面の簡単な説明】
【０００９】
【図１】一実施形態に関する紙おむつ（吸収性物品）の展開図である。
【図２】図１のＡ−Ａ矢視断面図である。なお、図２では、各構成を把握しやすくするため、各シート類の厚みを誇張して示す。
【図３】穿孔装置の要部を示す模式図である。
【図４】ピン（穿孔部材）の側面図である。この図の側面は、穿孔装置に設けられた穿孔ローラの軸方向から視たときのプロファイルを示す。
【図５】ピンと不織布との相対的な位置関係を示す図である。
【図６】ピンによって穿孔される不織布の要部を拡大して示す平面図である。この平面図には、穿孔中に徐々に拡げられる三つの刺孔と穿孔が完了した拡孔（最も拡げられた状態の刺孔）との関係が仮想的に示される。
【図７】第一変形例に関するピンを示す側面図である。この図の側面は、図４と同様に、穿孔装置に設けられた穿孔ローラの軸方向から視たときのプロファイルを示す。
【図８】第二変形例に関するピンを示す側面図である。この図の断面は、図４と同様に、穿孔装置に設けられた穿孔ローラの軸方向から視たときのプロファイルを示す。
【図９】従来のピンによって穿孔される不織布の要部を拡大して示す平面図である。
【発明を実施するための形態】
【００１０】
以下、本件を実施するための形態を説明する。下記の実施形態はあくまでも例示に過ぎず、この実施形態で明示しない種々の変形や技術の適用を排除する意図はない。本実施形態の各構成は、その趣旨を逸脱しない範囲で種々変形して実施することができる。また、必要に応じて取捨選択することができ、適宜組み合わせることもできる。
【００１１】
実施形態では、穿孔部材，穿孔ローラおよび穿孔装置を説明する。穿孔部材は、不織布を突き刺して孔を穿つ部材である。この穿孔部材は、所定の方向に回転する穿孔ローラの外周部に設けられ、穿孔ローラの一部分をなす。この穿孔ローラは、穿孔装置に装備され、穿孔装置の一部をなす。本実施形態では、穿孔ローラに対向して対向ローラが配置された穿孔装置を例示する。
【００１２】
上記の穿孔装置によって穿孔された不織布は、通気性を高めるため、吸収性物品に用いられる。この吸収性物品は、着用者に装着され、着用者から排泄される尿や経血といった液体の水分を吸収し保持する衛生用品である。この吸収性物品には、テープ型やパンツ型の紙おむつ（いわゆる「使い捨ておむつ」）といった吸収体を備えた吸収性物品のほか、尿パッド，生理用ナプキン，パンティーライナーといった吸収体のみを備えた吸収性物品なども含まれる。以下の実施形態では、吸収性物品としてパンツ型の紙おむつを例示する。
【００１３】
本実施形態では、穿孔ローラや対向ローラの軸心を基準に周方向および径方向を定め、これらローラの回転方向や不織布の搬送方向を基準に上流および下流を定める。さらに、穿孔部材の突き刺し方向を基準に先端および基端を定める。
また、紙おむつについて、着用者の腹部に対向して配置される前身頃と背部に対向して配置される後身頃とを結ぶ方向を長手方向とする。これらの前身頃と後身頃との間（長手方向の中央）には、着用者の股下に配置（股間に対向して配置）される股下部が位置する。また、紙おむつが着用者に装着された状態（以下「装着状態」と略称する）において、着用者の肌に向かう側（内側）を肌面側とし、肌面側の反対側（外側）を非肌面側とする。さらに、肌面側と非肌面側とを結ぶ方向を厚み方向とし、長手方向と厚み方向の何れにも直交する方向を幅方向とする。そのほか、厚み方向から視ることを平面視とする。
【００１４】
紙おむつにおける各構成要素の向きについては、たとえば長手方向に沿うと表現する場合に、長手方向と平行なことだけでなく、ほぼ長手方向と平行なことも含むものとする。具体的には、長手方向に対する傾斜角度が４５°未満で延在することを長手方向に沿うものとする。同様に、幅方向や厚み方向といった各方向に沿うと表現する場合についても、各方向に対する傾斜角度が４５°未満で延在することを意味する。
【００１５】
［Ｉ．一実施形態］
［１．構成］
以下、本件の構成について、紙おむつを説明し、その後に穿孔装置を説明する。
［１−１．紙おむつ］
まず、図１および図２を参照して、紙おむつ１の構成を説明する。
ここでは、幅方向の中心線Ｃを基準として対称に紙おむつ１が形成されている。この紙おむつ１は、長手方向に沿って前身頃１Ａ、股下部１Ｂおよび後身頃１Ｃの三つの領域に大別される。
【００１６】
〈シート類〉
はじめに、紙おむつ１のシート類について述べる。
図１に示すように、紙おむつ１には、前身頃１Ａ、股下部１Ｂおよび後身頃１Ｃに亘って長手方向に延びる吸収体１０（太破線で示す）が内蔵されている。
ここでは、前身頃１Ａおよび後身頃１Ｃよりも股下部１Ｂのほうが幅方向寸法の小さい砂時計形状の吸収体１０を例示する。ただし、吸収体１０の平面視形状は、上記したような砂時計形状に限らず、平面視で矩形（すなわち幅方向寸法が一定）であってもよいし、それぞれ円形の前身頃１Ａおよび後身頃１Ｃを結ぶダンベル形状であってもよい。
【００１７】
吸収体１０は、着用者から排泄される尿や経血といった液体の水分（以下「排泄水分」という）を吸収して保持する吸水性をもつマット状（あるいはパッド状）の部材である。
この吸収体１０では、粉砕あるいは解繊されたパルプ（いわゆる「フラッフパルプ」）に高吸水性樹脂（いわゆる「ＳＡＰ〈Superabsorbent polymer〉」，「高吸水性高分子」あるいは「高吸水性ポリマー」とも称される）が混合されたコアがラップシートで被包（ラップ）されている。
【００１８】
上記した吸収体１０に対して肌面側および非肌面側には、図２に示すように、以下に述べる種々のシート１１，１２，１３，１４が設けられている。
吸収体１０に対して、肌面側にはセンターシート１１が積層され、非肌面側にはバックシート１２が積層されている。これらのシート１１，１２の幅方向側方にはサイドシート１３が配置されている。
【００１９】
このサイドシート１３は、センターシート１１の幅方向側部において肌面側に積層されるとともに、バックシート１２の幅方向側部において非肌面側に積層される。
バックシート１２の非肌面側には、カバーシート１４が積層される。ここでは、バックシート１２の幅方向側部において、サイドシート１３を介してカバーシート１４が重ねられる。
これらのシート１１，１２，１３，１４のうち、シート１１，１３，１４には不織布が用いられている。ここでは、熱可塑性樹脂を含む不織布がシート１１，１３，１４に用いられる。
【００２０】
センターシート１１は、排泄水分を透過させて吸収体１０に吸収させるため、透水性をもつ。ここでは、装着状態での蒸れを抑えるため、通気性を併せもつセンターシート１１が用いられる。このようなセンターシート１１としては、いわゆるエアスルー不織布を用いることができる。
また、センターシート１１は、紙おむつ１において最も肌面側に配置される（このことから「トップシート」とも称される）。このセンターシート１１は、吸収体１０よりも幅方向寸法が大きく、肌面側から吸収体１０を被覆する。
【００２１】
バックシート１２は、吸収体１０からの液漏れを防ぐため、非透水性をもつ。ここでは、装着状態での蒸れを抑えるため、透湿性を併せもつバックシート１２が用いられる。このようなバックシート１２としては、透湿性ポリエチレン（PE〈Poly-Ethylene〉）フィルムを用いることができる。ただし、ポリプロピレン（PP〈Poly-Propylene〉）フィルムをバックシート１２に用いてもよい。
【００２２】
サイドシート１３は、幅方向側方への液漏れを防ぐため、非透水性をもつ。このサイドシート１３としては、スパンボンド不織布を用いることができる。
また、サイドシート１３の一部は、紙おむつ１において最も肌面側に配置される（このことからセンターシート１１と同様に「トップシート」とも称される）。このように着用者に対して接触しうるサイドシート１３としては、ＳＭＳ（Spunbound Meltblown Spunbound）不織布やＳＭＭＳ（Spunbound Meltblown Meltblown Spunbound）不織布のようにメルトブローン層を含ませることにより、柔軟性を高めたスパンボンド不織布を用いることが好ましい。あるいは、スパンボンド不織布をなす繊維の繊度や目付量が抑えられることにより、柔軟性を向上させたスパンボンド不織布を用いることが好ましい。
【００２３】
なお、「繊度」とは、繊維の繊維径（太さ）や断面積に対応するパラメータであり、所定の長さあたりの重量で表される。たとえば、一本の繊維について９０００ｍあたりのグラム数［デニール］が「繊度」として用いられる。
また、「目付量」とは、シートの厚みあるいは積層度合いに対応するパラメータであり、単位面積あたりの重量で表される。たとえば、一平米あたりのグラム数が「目付量」として用いられる。
【００２４】
カバーシート１４は、上記した吸収体１０およびシート１１，１２，１３を非肌面側から被覆する。ここでは、カバーシート１４として、肌面側から非肌面側に向けて第一カバーシート１４１，第二カバーシート１４２，第三カバーシート１４３の三つがこの順に積層されている。
第一カバーシート１４１は、バックシート１２を介して吸収体１０を非肌面側から被覆する（このことから「パッドカバーシート」とも称される）。
【００２５】
第二カバーシート１４２および第三カバーシート１４３は、前身頃１Ａおよび後身頃１Ｃ（図１参照）で第一カバーシート１４１よりも幅方向寸法が大きく設定され、装着状態で着用者の臀部や腰，腹などのまわりに配置される。第三カバーシート１４３は、紙おむつ１において最も非肌面側に配置される（このことから、第三カバーシート１４３は「アウターカバーシート」とも称され、第二カバーシート１４２は「インナーカバーシート」とも称される）。
【００２６】
これらのカバーシート１４１，１４２，１４３としては、スパンボンド不織布を用いることができる。更に言えば、第一カバーシート１４１としては、紙おむつ１の内部で柔軟に変形させてフィット性を確保するため、サイドシート１３と同様に、柔軟性の高いスパンボンド不織布を用いることが好ましい。また、第三カバーシート１４３としては、触感（手触り）を確保するため、サイドシート１３と同様に、柔軟性の高いスパンボンド不織布を用いることが好ましい。
【００２７】
図１に示すように、前身頃１Ａにおけるカバーシート１４と後身頃１Ｃにおけるカバーシート１４とは、それぞれの幅方向端縁部１４ａどうしが互いに貼り付けられる（いわゆる「サイドシール」）。このようにして、前身頃１Ａおよび後身頃１Ｃの各カバーシート１４が連設され、パンツ型の紙おむつ１が形成される。
そのほか、上述したバックシート１２およびカバーシート１４には、シート１２，１４に対して肌面側のものが透視可能な程度の半透明性材料が用いられている。
【００２８】
さらに、カバーシート１４には、通気孔Ｈ（前身頃１Ａおよび後身頃１Ｃのそれぞれで一箇所のみに符号を付す）の設けられた不織布が用いられている。ここでは、装着状態において着用者の腰部や腹部まわりの通気性を高めるために、紙おむつ１の前身頃１Ａや後身頃１Ｃにおけるカバーシート１４の少なくともに一部に穿孔加工が施されている。たとえば、最も肌面側に積層されるカバーシート１４（第一カバーシート１４１）に用いられる不織布のうち着用状態で上方となる領域が穿孔されている。このとき、他のカバーシート１４２，１４３に用いられる不織布には穿孔されていない不織布を用いてもよい。
【００２９】
〈ギャザー〉
つぎに、図１および図２を参照して、紙おむつ１のギャザー１５について述べる。
ギャザー１５は、ゴムやポリウレタン，伸縮フィルムといった伸縮性をもつ部材（伸縮性部材）によって伸縮性をもたせたシート複合体から構成される。ここでは、伸縮性部材として糸状のゴム部材（以下「糸ゴム」と略称する）２０を例示する。
【００３０】
この紙おむつ１には、糸ゴム２０で形成されるギャザー１５として、二種の糸ゴム２１，２２で伸縮性が付与された二種のギャザー１６，１７を例示する。一つは、サイドシート１３の肌面側端縁部が第一糸ゴム２１で皺寄せられた立体ギャザー１６（「サイドギャザー」とも称される）である。もう一つは、第二カバーシート１４２および第三カバーシート１４３（図２参照）が第二糸ゴム２２（一箇所のみに符号を付す）で皺寄せられたタミーギャザー１７である。
【００３１】
立体ギャザー１６は、排泄箇所の周縁で着用者に対する追従性を高めることにより、排泄物の幅方向側方への漏れを防ぐために設けられる。
詳細に言えば、図２に示すように、立体ギャザー１６では、サイドシート１３の肌面側における幅方向内側の端縁部に位置するシート部１３ａ，１３ｂが折り曲げられて重ねられる。これらのシート部１３ａ，１３ｂによって、長手方向に延在する第一糸ゴム２１が囲まれている。
なお、図１および図２には、二本の第一糸ゴム２１が設けられた立体ギャザー１６を例示する。ただし、立体ギャザー１６における第一糸ゴム２１の本数は、一本であってもよいし、三本以上であってもよい。
【００３２】
タミーギャザー１７は、着用者の臀部や下腹部に対する追従性を高めるために設けられる。詳細に言えば、タミーギャザー１７では、平織物における縦糸または経糸のように、幅方向に延びる複数の第二糸ゴム２２が、第二カバーシート１４２および第三カバーシート１４３（図２参照）の間に介装されている。
このようにカバーシート１４２，１４３の間に第二糸ゴム２２が内蔵されることで、臀部や下腹部まわりに沿う伸縮性をもつタミーギャザー１７が形成される。
そのほか、上述したギャザー１６，１７に加えてまたは替えて、着用者に対する追従を高めるためのレッグギャザーやサポートギャザーを設けてもよい。
【００３３】
〈インジケータ〉
さらに、紙おむつ１には、排尿（排泄）の有無を外部に示すインジケータ１９（このことから「お知らせサイン」とも称される）が設けられている。
インジケータ１９は、紙おむつ１の外部から視認可能（外観可能）に吸収体１０に対して付設されている。また、インジケータ１９は、濡れると変色する層状の部位である。ここでは、吸収体１０とバックシート１２との間にインジケータ１９が介装されている。
【００３４】
このインジケータ１９は、水感応型の材料がバックシート１２の肌面側に塗布されることで設けられる。たとえば、インジケータ１９は、水分と感応する前（濡れる前）には黄色や橙色をなし、水分と感応した後（濡れた後）には青色や黄緑に色が変化する。
バックシート１２およびカバーシート１４が上述したような半透明性をもつことから、排泄水分によってインジケータ１９が変色すると、変色したインジケータ１９を紙おむつ１の外部から視認可能であり、外部から排泄の有無を認識することができる。
なお、図１には、幅方向中央で長手方向に延びる二本のインジケータ１９を例示する。ただし、インジケータ１９の本数は、一本であってもよいし三本以上であってもよい。また、インジケータ１９の延在方向は、長手方向に限られない。
【００３５】
〈圧搾部〉
つぎに、長手方向および幅方向の双方に交差して圧搾された溝状の圧搾部４０（凹部，圧搾溝）を説明する。具体的には、少なくとも吸収体１０において、長手方向および幅方向の双方に交差する領域が圧搾されて形成された溝状の圧搾部４０を述べる。
この圧搾部４０は、吸収体１０とこの吸収体１０の肌面側に積層されるセンターシート１１とがプレス成形されて設けられる。具体的には、積層された吸収体１０およびセンターシート１１を所定の形状（パターン）の凸型で肌面側からプレス（圧縮）することで、吸収体１０あるいはセンターシート１１のプレス箇所における含有空気が圧搾され、圧搾部４０が成形される。
【００３６】
すなわち、圧搾部４０は、厚み方向に凹設された凹部である。この圧搾部４０は、長手方向および幅方向の双方に対して交差するように線状に延設された溝状の部位である。なお、圧搾部４０は、吸収体１０のうち幅方向の端縁（端部領域）を除いて延在している。
ここでの圧搾部４０には、長手方向に対して、幅方向一方に傾斜して交差する複数の第一傾斜部４１（図１には一箇所だけ符号を付す）と、幅方向他方に傾斜して交差する複数の第二傾斜部４２（図１には一箇所だけ符号を付す）とが設けられている。すなわち、これらの傾斜部４１，４２は、平面視で格子形状（格子状，グリッドパターン）をなす。
この圧搾部４０の延在領域を長手方向に向けて仮想的に延長した領域には、上述した通気孔Ｈが設けられている。
【００３７】
［１−２．穿孔装置］
上述した紙おむつ１のうちカバーシート１４に用いられる不織布１００には、つぎに説明する穿孔装置５０によって通気孔Ｈとなる孔が穿たれる。
以下、図３〜図７を参照して、穿孔装置５０の構成を説明する。
なお、穿孔装置５０は、紙おむつ１を製造する装置の一部であってもよし、この製造装置とは別に設けられてもよい。
【００３８】
図３に示すように、穿孔装置５０においては、張力が印加された状態で不織布１００が搬送される。具体的には、下記のローラ５１，５２，５３，７０やこれらの間で不織布１００が張架されつつ搬送される。
この穿孔装置５０には、穿孔ローラ６０が設けられる。この穿孔ローラ６０の外周部６１には、不織布１００を穿孔するピン（穿孔部材，一箇所のみに符号を付す）８０が設けられる。また、穿孔ローラ６０に対向するローラ（以下「対向ローラ」という）７０が設けられる。
【００３９】
これらのローラ６０，７０は、互いに軸心が平行に設けられており、所定の方向に向けて回転する（図３には、穿孔ローラ６０が反時計まわりの回転方向であり、対向ローラ７０が時計まわりの回転方向のものを例示する）。また、不織布１００の搬送速度とピン８０の周方向に沿う変位速度とが等しくなるように、各ローラ６０，７０の回転速度が設定される。
【００４０】
この穿孔装置５０では、対向ローラ７０の外周部７１に不織布１００が巻き回されて搬送される。このように搬送される不織布１００に対して穿孔ローラ６０のピン８０が突き刺され、不織布１００が穿孔される。
上記した穿孔箇所を基準とした穿孔装置５０は、不織布１００の搬送方向上流側の第一搬送部５０Ａと、同搬送方向下流側の第二搬送部５０Ｂとに大別される。すなわち、第一搬送部５０Ａでは穿孔ローラ６０に向けて不織布１００が搬入（搬送）され、第二搬送部５０Ｂでは穿孔ローラ６０から不織布１００が搬出（搬送）される。
【００４１】
第一搬送部５０Ａには、穿孔前の不織布１００が繰り出される繰出ローラ５３が設けられている。この第一搬送部５０Ａには、繰出ローラ５３から繰り出された不織布１００を搬送する第一搬送ローラ５１も設けられている。
第二搬送部５０Ｂには、穿孔後の不織布１００を搬送する第二搬送ローラ５２が設けられている。なお、第二搬送ローラ５２よりも不織布１００の搬送方向下流側に設けられる装置としては、穿孔された不織布１００を巻き取る巻取ローラ（図示省略）や、穿孔された不織布１００の貼合や積層といった工程をインラインで実施する他の装置（図示省略）などが挙げられる。
【００４２】
つづいて、穿孔ローラ６０およびピン８０ならびに対向ローラ７０について詳述する。
穿孔ローラ６０の外周部６１には、周方向に沿って複数のピン８０が並んで設けられている。このようにピン８０が並設されることにより、不織布１００に対して搬送方向に並ぶ孔を穿つことができる。
【００４３】
図示省略するが、穿孔ローラ６０の軸方向にもピン８０が並んで設けられている。詳細には、穿孔ローラ６０の軸方向視でピン８０の位置（ピン８０の周方向位置）が互いに相異して配置される。
このような千鳥状配置のピン８０によって、不織布１００の搬送方向に並ぶ孔に加え、不織布１００の幅方向に並ぶ孔を穿つことができる。ここでいう「幅方向」とは、不織布１００の搬送方向に直交するとともに不織布１００の厚み方向に直交する方向（穿孔ローラ６０の軸方向と平行）である。
これらのピン８０は、何れも同様の形状に設けられている。そこで、下記の説明では一つのピン８０に着目して説明する。
【００４４】
図４に示すように、ピン８０は、先端から基端へ向けて、先端部８１，中間部８２および土台部８３の三部位に大別される。
先端部８１および中間部８２は、軸方向視で穿孔時に不織布１００と交差する部位である。ピン８０では、先端部８１および中間部８２を不織布１００に突き刺して穿孔する。
土台部８３は、穿孔時に不織布１００と交差せず、先端部８１および中間部８２の土台となる部位である。
【００４５】
先端部８１は、不織布１００の突き刺し方向に向かうほど細くなるテーパー形状をなす。具体的に言えば、先端部８１は、突き刺し方向の先端に点状の端部（尖端）をもつ。これに対し、中間部８２は、先端部８１よりもテーパー度合いが小さく、ほぼ寸胴形である。なお、土台部８３は、不織布１００を直接的に穿孔する部位ではないことから、寸胴形やテーパー形状といった所望の形状とすることができる。
そのほか、ピン８０における各部位８１，８２，８３のテーパー度合いは任意に設定してもよい。たとえば、中間部８２よりもテーパー度合いの小さい先端部８１を用いてもよい。あるいは、中間部８２のほか土台部８３も不織布１００に突き刺してもよい。このように穿孔機能をもつ土台部８３は、中間部８２と同様に穿孔機能をもつことから、中間部８２に兼用された構成と言える。反対に、不織布１００を穿孔する部位ではないものとして土台部８３を捉えれば、この土台部８３を省略した構成とも言える。
【００４６】
つづいて、図５および図６を参照して、ピン８０による不織布１００の穿孔を述べる。
図５には、ピン８０と不織布１００との相対的な位置を示す。
この図５には、右側から左側へ向けて、不織布１００に対するピン８０の穿孔が進行し、さらに、不織布１００からピン８０が抜き出される様子を示す。
具体的に言えば、図５のうち、位相ａにはピン８０が不織布１００を突き刺しはじめた様子を示し、位相ｂ，ｃ，ｄ，ｅの順に、不織布１００へのピン８０の突き刺しが徐々に進行する様子を示す。図５の位相ｅには、不織布１００のへピン８０の突き刺しが最も進行した状態（突き刺しが完了した状態）を示す。また、図５の位相ｅ，ｆ，ｇ，ｈの順に、不織布１００からのピン８０の抜き出しが徐々に進行する様子を示す。
【００４７】
すなわち、ローラ６０，７０の周面どうしが最も接近する箇所に位置するピン８０（図３では穿孔ローラ６０の真上に位置するピン８０）の位相を「０°」とし、ローラ６０，７０の回転方向を正（プラス）の位相とした場合の各位相が図５に示される（位相を示す「ａ」，「ｂ」，「ｃ」，「ｄ」，「ｅ」，「ｆ」，「ｇ」および「ｈ」は、不等式「ａ＞ｂ＞ｃ＞ｄ＞ｅ」および不等式「ｅ＜ｆ＜ｇ＜ｈ」を満たす。なお、「ａ」，「ｂ」，「ｃ」，「ｄ」，「ｅ」，「ｆ」，「ｇ」および「ｈ」は、何れも正である。）。
なお、位相が「０°」のピン８０は、ローラ６０，７０の軸心線どうしを結ぶ平面に交差する。
【００４８】
位相ａ〜ｄでは、不織布１００に対するピン８０の突き刺しが進行しつつ孔が穿たれる。このように穿孔が進行中の孔を「刺孔ＨP」と称する。この刺孔ＨPは、ピン８０の突き刺し途中で穿たれる孔であり、ピン８０の突き刺しが進行するにつれて拡げられる。さらに、位相ｅでは、ピン８０の突き刺しが完了する。このように拡大が完了した刺孔ＨPを「拡孔ＨR」と称する。
なお、位相ｆ〜ｈでは、不織布１００に穿たれた拡孔ＨRからピン８０が抜き出され、拡孔ＨRの大きさに変化はない。
【００４９】
〈ピンの断面〉
図６に示すように、不織布１００の穿孔時に刺孔ＨPと交差する先端部８１あるいは中間部８２の断面Ｓは、拡孔ＨRと同心の相似形（ここでは真円形を例示する）に設けられている。すなわち、断面Ｓの中心と拡孔ＨRの中心とが一致するようにピン８０の形状が設計されている。
なお、図６には、位相ｂに対応する刺孔ＨPを符号「ＨP1」で示し、この刺孔ＨP1に対応する断面Ｓを符号「Ｓ1」で示す。同様に、位相ｃに対応する刺孔ＨPを符号「ＨP2」で示すとともに刺孔ＨP2に対応する断面Ｓを符号「Ｓ2」で示し、位相ｄに対応する刺孔ＨPを符号「ＨP3」で示すとともに刺孔ＨP3に対応する断面Ｓを符号「Ｓ3」で示す。そのほか、位相ｅに対応する拡孔ＨRをそのまま符合「ＨR」で示すとともに拡孔ＨRに対応する断面Ｓを符号「Ｓ4」で示す。
【００５０】
上述したようにピン８０の各断面Ｓの形状が設計されることから、図４に示すように、不織布１００に対するピン８０の突き刺し方向に断面Ｓの中心を結ぶ線（以下「中心線」と略称する）ＬCは幾何学的に定まる。具体的に言えば、ピン８０の先端部８１における中心線ＬCは、ローラ６０，７０の径方向断面においてサイクロイド曲線をなす。詳細には、ローラ６０，７０の径方向寸法に応じた外サイクロイド曲線を中心線ＬCが描く。
【００５１】
言い換えれば、断面Ｓの各中心は、上記したサイクロイド曲線上に配置され、ピン８０の突き出し方向に向かうほど穿孔ローラ６０の回転方向下流側に位置する。これは、穿孔ローラ６０の径方向に対して穿孔ローラ６０の回転方向下流側に向けて中心線ＬCの先端側が傾斜していると換言することもできる。
ここでは、図６に示すように、円形の拡孔ＨRが設定されており、円形の断面Ｓを例示する。断面Ｓが円形の場合の先端部８１は、穿孔ローラ６０の径方向に延びる軸を中心とした回転体形状の円錐でなく、この円錐の先端部を回転方向下流側に傾斜させた形状をなしている。ただし、拡孔ＨRは、真円形に限らず、楕円や長円といった他の円形に設定されてもよいし、多角形に設定されてもよい。この場合には、刺孔ＨPやこれに対応する断面Ｓも多角形となり、ピン８０の形状も歪んだ角錐状をなす。
【００５２】
〈熱印加部〉
さらに、刺孔ＨPや拡孔ＨRの形状安定性を高めるため、ピン８０には熱印加部９０が内蔵されている。すなわち、熱印加部９０は、孔ＨP，ＨRの形状安定部としての機能をもつ。この熱印加部９０は、先端部８１および中間部８２の少なくとも一方に熱を伝導して印加する。
ここでは、ピン８０のうち主に先端部８１で刺孔ＨPを穿ち、主に中間部８２で拡孔ＨRあるいは刺孔ＨPの形状を安定させるため、熱印加部９０からの熱は中間部８２だけに印加される。ただし、熱印加部９０からの熱は、先端部８１だけに印加されてもよいし、先端部８１および中間部８２の双方に印加されてもよい。
そのほか、熱印加部９０は、先端部８１および中間部８２の少なくとも一方に限らず、土台部８３に熱を印加してもよい。たとえば、熱印加部９０は、ピン８０の全体に熱を印加してもよい。このようにピン８０を全体的に加熱する熱印加部９０としては、複数のピン８０の突設された伝熱部材（たとえばリング状の部材）を用いることができる。
【００５３】
さらに、熱印加部９０に熱を発生させるエネルギーを供給する供給部９１が設けられる。この供給部９１は、穿孔ローラ６０の内部に設けられてもよいし、穿孔ローラ６０の外部に設けられてもよい。
熱印加部９０としては、セラミックヒータやＰＴＣ（Positive Temperature Coefficient）ヒータといった公知の電熱ヒータを用いることができる。この場合の供給部９１には、電気エネルギー（電力）を供給するものが用いられる。ただし、熱印加部９０として銅材やアルミニウム材といった公知の伝熱材を用いてもよい。この場合の供給部９１には、熱エネルギーを供給する伝熱部材が用いられる。
【００５４】
〈間隔保持部〉
図５に示される位相ｆ〜ｈでは、不織布１００からピン８０の先端部８１が抜き出される。この抜出時に、先端部８１のうち特に穿孔ローラ６０の回転方向下流側（図５では左側）の部位は、不織布１００に近接し、構造的な対策が施されていなければ不織布１００に引っ掛かる（干渉する）おそれがある。
そこで、本実施形態のピン８０には、図４に示すように、先端部８１のうち穿孔ローラ６０の回転方向下流側の部位に、不織布１００に対して間隔をあけて位置する間隔保持部８１ａを構造的に設けている。この間隔保持部８１ａは、先端部８１のうち穿孔ローラ６０の回転方向下流側の部位が同回転方向下流側からえぐり取られた形状（すなわち鉤爪形状）をなす。
【００５５】
詳細に言えば、ピン８０のうち、回転方向上流側の部位が上流側に向けて膨出した形状であるのに対し、回転方向下流側の部位が上流側に向けて凹んだ形状に設けられ、このような形状のピン８０においても、上述した各断面Ｓは、拡孔ＨRと同心の相似形をなしている。
仮に、上述した各断面が拡孔と同心の相似形をなすピンであっても、回転方向下流側の部位が膨出した形状のピンも存在する。このようなピンと比較して、本実施形態のピン８０は、回転方向下流側が凹んでおり、中心線ＬCがやや回転方向上流側にシフトして配置されている。
【００５６】
〈係合部〉
そのほか、ピン８０を不織布１００に突き刺すことから、対向ローラ７０の外周部７１には、不織布１００に対して対向ローラ７０の内径側に突き出たピン８０を許容する構造が設けられている。
ここでは、ピン８０に対して係合するようにしてピン８０の突き出しを許容する係合部（許容部）７１０が設けられている。
【００５７】
係合部７１０は、ピン８０のそれぞれに対応して対向ローラ７０の外周部７１に設けられる。この係合部７１０は、不織布１００から対向ローラ７０の内径側に突き出たピン８０を囲むように凹設されている。なお、係合部７１０の凹設された空間には、ピン８０の抜き差しが可能であって不織布１００を対向ローラ７０の内径側から支持する部材（たとえばスポンジやゲル）が充填されていてもよい。
【００５８】
〈ピンの変形例〉
上述したピン８０のほか、下記に例示するピン８０′，８０″を用いてもよい。
たとえば、図７に示すように、上述したピン８０の先端部８１よりもテーパー度合い（突き刺し方向に向けて細くなる度合い）の大きい先端部８１′をもつピン８０′を用いてもよい。このピン８０′では、中間部８２′（あるいは先端部８１′の基端側）のテーパー度合いが抑えられる。
そのため、穿孔がほぼ完了した刺孔ＨPや拡孔ＨR（図６参照）の輪郭をなす不織布１００に対して接触（摺動）するピン８０′の寸法（突き出し方向の長さ）が確保される。このことから、ピン８０′には、上述したように供給部９１が接続された熱印加部９０が内蔵されることが特に好ましい。
【００５９】
そのほか、図８に示すように、上述したピン８０の先端部８１よりもテーパー度合いの小さい先端部８１″をもつピン８０″を用いてもよい。この場合には、上述した先端部８１あるいは中間部８２よりも尖った先端部８１″あるいは中間部８２″がピン８０″に設けられる。このことから、先端部８１″や中間部８２″が更に突き刺さりやすくなり、穿孔性が向上する。
【００６０】
［２．作用および効果］
上述したように紙おむつ１および穿孔装置５０が構成されるため、下記のような作用および効果を得ることができる。
以下、穿孔装置５０に関する作用および効果を述べてから、紙おむつ１に関する作用および効果を述べる。
【００６１】
［２−１．穿孔装置］
（１）仮に、穿孔ローラ６０の径方向に延びる軸を中心とした回転体形状のピンを用いた場合には、図９に示すように、刺孔ＨPP1，ＨPP2，ＨPP3の中心ＣP1，ＣP2，ＣP3と拡孔ＨRの中心ＣRとが偏心する。そのため、刺孔ＨPをその径方向に向けて均等に拡径することができず、拡孔ＨRがいびつな形状となるおそれがあり、不織布の引き裂きを招くおそれもある。よって、穿孔性の低下を招くおそれがある。
これに対して本ピン８０では、不織布１００の穿孔時に刺孔ＨPと交差する先端部８１あるいは中間部８２の断面Ｓが拡孔ＨRと同心の相似形に設けられている。そのため、刺孔ＨPをその径方向に向けて均等に拡径（拡大）することができる。したがって、形状の整った拡孔ＨRを穿つことができ、不織布１００の引き裂きを抑えることもできる。よって、不織布１００への穿孔性を高めることができる。
【００６２】
上述したような断面Ｓをもつ先端部８１は、穿孔ローラ６０の周方向にピン８０が変位するとともに対向ローラ７０の周方向に不織布１００が搬送される場合には、中心線ＬCがサイクロイド曲線上に配置されることになる。また、ピン８０の突き出し方向に向かうほど穿孔ローラ６０の回転方向下流側に断面Ｓの各中心が位置することにもなる。
逆に言えば、中心線ＬCがサイクロイド曲線上に配置された先端部８１によれば、穿孔ローラ６０の周方向にピン８０が変位するとともに対向ローラ７０の周方向に不織布１００が搬送される場合に、断面Ｓが拡孔ＨRと同心の相似形となる。そのため、刺孔ＨPをその径方向に向けて均等に拡径（拡大）することができる。
【００６３】
（２）仮に、穿孔ローラ６０の回転方向に刃先を向けたカッタ状の部位をもつピンを用いた場合には、このピンで突き刺された不織布１００が切り込まれることにより、不織布１００に印加された張力が低下する。不織布１００の張力が維持されたとしても、この張力によって切れ込みが拡大するおそれがある。よって、不織布１００への穿孔性が低下する。
これに対して本ピン８０の先端部８１は、不織布１００の突き刺し方向に向かうほど細くなるテーパー形状をなす。そのため、搬送される不織布１００の張力低下を抑えつつ、不織布１００を突き刺して穿孔することができる。この点からも、不織布１００への穿孔性を高めることができる。
【００６４】
（３）さらに、熱印加部９０とこの熱印加部９０に熱を発生させるエネルギーを供給する供給部９１とが設けられる。このことから、刺孔ＨPや拡孔ＨRの輪郭に対応する部分の不織布１００を熱溶融させることで熱可塑性樹脂の交絡状態を固定することができ、刺孔ＨPや拡孔ＨRの輪郭形状の乱れやほつれを抑えることができる。
そのうえ、熱印加部９０は、先端部８１および中間部８２の少なくとも一方に熱を印加することから、エネルギー効率の低下を抑えることができる。不織布１００に対して伝達される熱エネルギーの制御性を向上させることにも寄与する。
そのほか、ピン８０を全体的に加熱する熱印加部９０を用いた場合には、ピン８０に対して接触する全ての箇所で確実に不織布１００を熱溶融させることができる。
これらの点からも、不織布１００への穿孔性を高めることができる。
【００６５】
（４）また、先端部８１よりも中間部８２のテーパー度合いが小さいことから、拡孔ＨR（あるいは穿孔がほぼ完了した刺孔ＨP）の輪郭をなす不織布１００に対する摺動寸法を確保することができ、この輪郭に対して熱を印加する時間を確保することができる。よって、刺孔ＨPや拡孔ＨRの輪郭形状の乱れやほつれを確実に抑えることに寄与する。
あるいは、中間部８２よりもテーパー度合いの小さい先端部８１を用いた場合には、これとテーパー度合いの大小が反対の構造と比較して先端部８１が太いことから、先端部８１の強度を向上させることができ、ピン８０の耐久性を高めることができる。
（５）そのほか、先端部８１のうち穿孔ローラ６０の回転方向下流側の部位に、不織布１００に対して間隔をあけて位置する鉤爪形状の間隔保持部８１ａが構造的に設けられる。このことから、不織布１００のうち拡孔ＨRの輪郭やその周辺をなす部位へのピン８０の接触を抑えることができる。そのため、拡孔ＨRの形状のみだれや拡孔ＨRまわりにおける不織布１００の引き裂きを抑えることができる。
この点からも、不織布１００への穿孔性を高めることができる。
【００６６】
（６）なお、穿孔装置５０には、穿孔ローラ６０に対して不織布１００を搬出入する搬送部５０Ａ，５０Ｂが設けられることから、穿孔対象の不織布１００を自動的に搬送することができる。そのため、不織布１００に対する穿孔効率を向上させることができる。
（７）また、不織布１００に対して対向ローラ７０の内径側に突き出たピン８０を係合部７１０によって構造的に許容することができ、このような許容構造のもとで不織布１００をピン８０によって穿孔することができる。
【００６７】
［２−２．紙おむつ］
つぎに、紙おむつ１に関する作用および効果を述べる。
（１）紙おむつ１には、上述した穿孔装置５０によって通気孔Ｈが穿孔された不織布１００がカバーシート１４として用いられるため、装着状態における通気性を向上させることができる。
【００６８】
（２）また、圧搾部４０の延在箇所において、吸収体１０やこれに加えてセンターシート１１、延いては紙おむつ１が折り曲がりやすくなり、着用者に対する紙おむつ１のフィット性を高めることができる。
吸収体１０およびセンターシート１１のうち溝状の圧搾部４０が成形された部分を着用者の肌面に対して非接触とすることもできる。そのため、装着状態における通気性を高め、紙おむつ１内部の蒸れを抑えることができる。着用者の肌面に対してセンターシート１１の一部を圧搾部４０によって非接触とすることで、肌触り（触感）を高めることもできる。
【００６９】
この圧搾部４０は、長手方向および幅方向の双方に交差して延在することから、たとえば毛細管現象によって排泄された液体を圧搾部４０に沿って拡散させることができる。したがって、長手方向および幅方向の双方へ排泄された液体の拡散性を向上させることができ、吸収体１０の吸水箇所を分散させることができる。よって、吸収体１０の吸水性を確保することができる。
【００７０】
さらに、圧搾部４０において互いに異なる方向に傾斜する傾斜部４１，４２によれば、圧搾部４０が二方向に沿う格子形状をなす。このことから、着用者に対するフィット性，紙おむつ１内部で二方向に通気させることで装着状態における通気性，排泄された液体の拡散性を更に向上させることができる。
そのうえ、圧搾部４０の延在領域を長手方向に向けて仮想的に延長した領域には、通気孔Ｈが設けられることから、圧搾部４０を通った蒸れた空気を通気孔Ｈから円滑に排出することができる。すなわち、圧搾部４０および通気孔Ｈが協働することで、紙おむつ１内部の蒸れを効率よく抑えることができる。
【００７１】
［ＩＩ．その他］
最後に、その他の変形例について述べる。
以下、穿孔装置に関する変形を述べ、その後に紙おむつに関する変形例を述べる。
〈穿孔装置の変形例〉
たとえば、不織布またはピンが周方向に変位するもとで、不織布にピンが突き刺されて穿孔されてもよい。この場合であっても、上述した断面のそれぞれの中心がピンの突き出し方向に向かうほど穿孔ローラの回転方向下流側に位置していれば、穿つ孔をその径方向に向けて均等に拡げることができ、不織布への穿孔性を高めることができる。
【００７２】
また、間隔保持部は、ピンの抜出時に不織布に対して間隔をあけて位置する形状であれば、鉤爪形状のほかに種々の形状を採用することができる。
そのほか、先端部および中間部のテーパー度合いが同程度であってもよい。この場合には、ピンの製造コストを抑えることができる。
【００７３】
〈紙おむつの変形例〉
圧搾部は、上述した通気孔Ｈと協働して蒸れを効率よく抑えることから、紙おむつに設けられることが好ましいものの、必須の構成ではない。この圧搾部は、少なくとも吸収体に設けられていればよく、センターシートに設けられていなくてもよい。この場合には、センターシートが積層される前に吸収体の一部が肌面側から圧搾されて、圧搾部が成形される。
あるいは、吸収体の非肌面側に圧搾部が成形されてもよい。この場合には、非肌面側から少なくとも吸収体が圧搾されて、圧搾部が成形される。たとえば、非肌面側からバックシートとともに吸収体をプレスして圧搾部が成形される。
【００７４】
また、圧搾部の平面視形状としては、格子形状に限らず、さまざまな形状を採用することができる。具体例を挙げれば、第一傾斜部または第二傾斜部は、少なくとも一方が単数であってもよいし、少なくとも一方を省略してもよい。更に言えば、第一傾斜部または第二傾斜部は、直線状のほか、曲線状であってもよいし、三角波状や矩形波状であってもよい。このように他の平面視形状をなす圧搾部によっても、フィット性，通気性および吸水性を確保して、着用者の快適性を向上させることに寄与する。あるいは、圧搾部は、延在するものに限らず、点状に設けられてもよい。この場合であっても、フィット性などの向上に寄与しうる。
【００７５】
そのほか、通気孔は、上述したカバーシートや穿孔領域に限らず、他のシートや領域に穿孔してもよい。この場合にも、装着状態での通気性を高めることができる。
【符号の説明】
【００７６】
１    紙おむつ（吸収性物品）
１０    吸収体
１１    センターシート
１２    バックシート
１３    サイドシート
１４    カバーシート
１４１    第一カバーシート
１４２    第二カバーシート
１４３    第三カバーシート
１５    ギャザー
１９    インジケータ
２０    糸ゴム（伸縮性部材）
４０    圧搾部（凹部）
４１    第一傾斜部
４２    第二傾斜部
５０    穿孔装置
５０Ａ    第一搬送部
５０Ｂ    第二搬送部
５１    第一搬送ローラ
５２    第二搬送ローラ
５３    繰出ローラ
６０    穿孔ローラ
６１    外周部
７０    対向ローラ
７１    外周部
７１０    係合部
８０    ピン（穿孔部材）
８１    先端部
８１ａ    間隔保持部
８２    中間部
８３    土台部
９０    熱印加部
９１    供給部
１００    不織布
ＣR    拡孔ＨRの中心
ＨP，ＨP1，ＨP2，ＨP3    刺孔
ＨR    拡孔
ＬC    ピン８０の中心線
Ｓ，Ｓ1，Ｓ2，Ｓ3，Ｓ4    断面
【図１】
2018144204.tif 000003
【図２】
2018144204.tif 000004
【図３】
2018144204.tif 000005
【図４】
2018144204.tif 000006
【図５】
2018144204.tif 000007
【図６】
2018144204.tif 000008
【図７】
2018144204.tif 000009
【図８】
2018144204.tif 000010
【図９】
2018144204.tif 000011